(57)【要約】      （修正有）【課題】加温後に水で冷却することで、必要な形状の螺旋組アクセサリーを形成できるアクセサリーの成形構造を提供する。【解決手段】アクセサリーの成形構造は１組の成形モールド１を有する。１組の成形モールド１は外径が大きいものと外径が小さいものである第一成形モールド１１及び第二成形モールド１２により組成される。１組の第一及び第二成形モールド１１、１２は共に相同の形状である。形状を予め設定した第一及び第二成形モールド１１、１２からなり、円形を呈する螺旋ヘヤゴム紐材料２を第一及び第二成形モールド１１、１２の間に入れ加熱を行うと、もともとは円形だった螺旋ヘヤゴム紐材料２は１組の成形モールド１と相同の形状に成形される。こうして、必要な形状に応じて各種異なる形状のアクセサリーを製造でき、ヘアアクセサリー、ブレスレット及びキーホルダー、ストラップ等の用途に用いられる。【選択図】図１
0003210708.tif 000002
【実用新案登録請求の範囲】
【請求項１】
アクセサリーの成形構造であって、１組の成形モールドを有し、
前記１組の成形モールドは、外径が大きいものと外径が小さいものである第一成形モールド及び第二成形モールドにより組成され、前記１組の第一及び第二成形モールドは共に相同の形状で、形状を予め設定した第一及び第二成形モールドからなり、
前記第一成形モールド内には、第二成形モールドを収容する空間を形成し、しかも前記第一成形モールド内の空間と第二成形モールドは、相同の形状を呈し、前記第一成形モールドと前記第二成形モールドとを組合せ後、前記第一成形モールドと前記第二成形モールドとの間には、間隙を形成し、もともと円形を呈する螺旋ヘヤゴム紐材料を前記第一及び第二成形モールドの間の間隙内に入れ加熱後に冷卻することで、もともとは円形だった螺旋ヘヤゴム紐材料は、前記１組の成形モールドと相同の形状に成形され、
こうして、必要な形状に応じて、各種異なる形状の成形モールドを製作することで、各種異なる形状のアクセサリーを生産でき、ヘアアクセサリー、ブレスレット及びキーホルダー、ストラップ等の用途に用いられることを特徴とするアクセサリーの成形構造。
【請求項２】
前記第一成形モールド上には、複数の孔洞或いは長槽孔を設置し、これにより熱温は複数の孔洞或いは長槽孔を通して、前記第一成形モールド内に入り、円形螺旋ヘヤゴム紐材料は均一に熱を受けることを特徴とする請求項１に記載のアクセサリーの成形構造。
【請求項３】
前記第二成形モールド上にも、複数の孔洞或いは長槽孔を設置することを特徴とする請求項１に記載のアクセサリーの成形構造。
【請求項４】
前記円形を呈する螺旋ヘヤゴム紐材料を、前記第一及び第二成形モールドの間に入れた後、熱水に入れ加熱することを特徴とする請求項１に記載のアクセサリーの成形構造。
【請求項５】
前記円形を呈する螺旋ヘヤゴム紐材料を、前記第一及び第二成形モールドの間に入れた後、オーブンに入れ加温することを特徴とする請求項１に記載のアクセサリーの成形構造。
【請求項６】
前記熱水加熱の水温は７０〜８５oＣであることを特徴とする請求項４に記載のアクセサリーの成形構造。
【請求項７】
前記オーブン加温の温度は１００〜１３０oＣであることを特徴とする請求項５に記載のアクセサリーの成形構造。
【請求項８】
前記第一成形モールドしか使用しない単一モールドでは、もともと円形を呈する少なくとも１個の螺旋ヘヤゴム紐材料を、前記第一或いは第二成形モールド外縁或いは内部空間に嵌め入れ加熱を行い、
これにより、もともとは円形だった螺旋ヘヤゴム紐材料は、１組の成形モールドと相同の形状に成形されることを特徴とする請求項１に記載のアクセサリーの成形構造。
【考案の詳細な説明】
【技術分野】
【０００１】
本考案はアクセサリーの成形構造に関し、特に円形螺旋ヘヤゴム紐材料を成形モールド中に入れ、熱水により加熱或いはオーブンに入れ加温し加温後に冷卻することで、必要な形状の螺旋紐アクセサリーを形成でき、ヘアアクセサリー、ブレスレット及びキーホルダー、ストラップとできるアクセサリーの成形構造に関する。
【背景技術】
【０００２】
従来の螺旋ヘヤゴム紐等アクセサリーは、樹脂線材を円形棒体上に巻きつけて加熱し螺旋状に成形し、螺旋線材を必要な長さに裁断した後、螺旋線材の両端を粘着接合させて形成される。
【０００３】
しかし、従来の製品はほとんどが円形で、しかもそれが使用する樹脂線材具は材料弾性を備えるため、ほとんどは円形にしか成形できなかった。そのため、装飾効果を高めることができず、線材の色で変化をつけるしかなかった。すなわち、実用性及び装飾効果が理想的でない。
【考案の概要】
【考案が解決しようとする課題】
【０００４】
前記先行技術には、実用性及び装飾効果が理想的でない欠点がある。
【課題を解決するための手段】
【０００５】
本考案は形状を予め設定した第一及び第二成形モールドからなり、円形を呈する螺旋ヘヤゴム紐材料を第一及び第二成形モールドの間に入れ加熱を行うと、もともとは円形だった螺旋ヘヤゴム紐材料は１組の成形モールドと相同の形状に成形され、必要な形状に応じて各種異なる形状のアクセサリーを製造でき、ヘアアクセサリー、ブレスレット及びキーホルダー、ストラップ等の用途に用いられるアクセサリーの成形構造に関する。
【０００６】
本考案によるアクセサリーの成形構造は、１組の成形モールドを有する。
該１組の成形モールドは、外径が大きいものと外径が小さいものである第一成形モールド及び第二成形モールドにより組成される。
該１組の第一及び第二成形モールドは共に、相同の形状である。
形状を予め設定した第一及び第二成形モールドからなり、円形を呈する螺旋ヘヤゴム紐材料を第一及び第二成形モールドの間に入れ加熱を行うと、もともとは円形だった螺旋ヘヤゴム紐材料は、該１組の成形モールド１と相同の形状に成形される。
こうして、必要な形状に応じて各種異なる形状のアクセサリーを製造でき、ヘアアクセサリー、ブレスレット及びキーホルダー、ストラップ等の用途に用いられる。
その加熱方式は熱水による加熱、或いはオーブンに入れての加温とでき、熱水により加熱し、或いはオーブンに入れ加温した後、水冷卻或いは常温冷卻により成形できる。
【考案の効果】
【０００７】
本考案は必要な形状に応じて、各種異なる形状の成形モールド１を製作することで、各種異なる形状のアクセサリーを生産することができ、ヘアアクセサリー、ブレスレット及びキーホルダー、ストラップ等の用途に用いられ、実用性及び装飾効果を大幅に高めることができる。
【図面の簡単な説明】
【０００８】
【図１】本考案の好ましい実施形態の立体分解図である。
【図２】本考案において円形螺旋ヘヤゴム紐材料を成形モールド中に入れる様子を示す実施形態図である。
【図３】本考案が１組の長型第一及び第二成形モールドで、１個以上の円形螺旋ヘヤゴム紐材料を第一及び第二成形モールド間に入れ、多種の製品を製造する実施形態を示す立体分解図である。
【図４】本考案において第一或いは第二成形モールド上に複数の孔洞を設置する様子を示す実施形態の局部立体図である。
【図５】本考案において第一或いは第二成形モールド上に複数の長槽孔を設置する様子を示す実施形態の局部立体図である。
【図６】本考案において成形モールドにより円形螺旋ヘヤゴム紐材料をハート型成品に成形する様子を示す立体図である。
【図７】本考案において成形モールドにより円形螺旋ヘヤゴム紐材料を三角型成品に成形する様子を示す立体図である。
【図８】本考案において成形モールドにより円形螺旋ヘヤゴム紐材料を方型成品に成形する様子を示す立体図である。
【考案を実施するための形態】
【０００９】
［実施例１］
図１、図２及び図３に示す通り、本考案によるアクセサリーの成形構造は、１組の成形モールド１を有する。１組の成形モールド１は、外径が大きいものと外径が小さいものである第一成形モールド１１及び第二成形モールド１２により組成される。１組の第一及び第二成形モールド１１、１２は共に、相同の形状である。第一成形モールド内には、第二成形モールド１２をセットする空間を形成し、第二成形モールド１２内にも空間を形成する。第一成形モールドと第二成形モールドとを組合せ後、第一、第二成形モールド１１、１２間には、間隙を形成し、しかも第一成形モールド内の空間と第二成形モールドは、相同の形状を呈する。形状を予め設定した第一及び第二成形モールド１１、１２により、もともと円形を呈する少なくとも１個の螺旋ヘヤゴム紐材料２を、第一及び第二成形モールド１１、１２の間の間隙内に入れ、加熱を行う。これにより、もともとは円形だった螺旋ヘヤゴム紐材料２は、１組の成形モールド１と相同の形状に成形される。こうして、必要な形状に応じて、各種異なる形状の成形モールド１を製作することで、ハート型成品２１（図６参照）、三角型成品３（図７参照）及び方型成品４（図８参照）などの各種異なる形状のアクセサリーを生産することができ、ヘアアクセサリー、ブレスレット及びキーホルダー、ストラップ等の用途に用いられる。
【００１０】
この他、第一成形モールド１１及び第二成形モールド１２内に形成される空間とその外縁は、相同の形状を呈し、しかも本考案では、第一成形モールド１１或いは第二成形モールド１２の内の１個のモールドのみを使用することとすることもできる。この場合には、もともと円形を呈する少なくとも１個の螺旋ヘヤゴム紐材料２を、第一或いは第二成形モールド１１、１２外縁或いは内部空間に嵌め入れ加熱を行う。これにより、もともとは円形だった螺旋ヘヤゴム紐材料２は、１組の成形モールド１と相同の形状に成形される。
【００１１】
その加熱方式は、７０〜８５oＣの熱水による加熱、或いはオーブンに入れ１００〜１３０oＣで加温するもので、熱水加熱及びオーブン加温後に、水で冷卻或いは常温で冷卻すれば、成形できる。
【００１２】
この他、第一成形モールド１１上には、複数の孔洞１１１或いは長槽孔１１２を設置する。これにより、熱水或いは熱温は、複数の孔洞１１１或いは長槽孔１１２を通して、第一成形モールド１１内に入り、円形螺旋ヘヤゴム紐材料２は均一に熱を受けることができる（図４、図５参照）。第二成形モールド１２上にも、複数の孔洞１１１或いは長槽孔１１２を設置する。
【符号の説明】
【００１３】
１  成形モールド
１１  第一成形モールド
１１１  孔洞
１１２  長槽孔
１２  第二成形モールド
２  円形螺旋ヘヤゴム紐材料
２１  ハート型成品
３  三角型成品
４  方型成品
【図１】
0003210708.tif 000003
【図２】
0003210708.tif 000004
【図３】
0003210708.tif 000005
【図４】
0003210708.tif 000006
【図５】
0003210708.tif 000007
【図６】
0003210708.tif 000008
【図７】
0003210708.tif 000009
【図８】
0003210708.tif 000010